(57)【要約】【課題】  ウニ類と藻の両方を効率よく、育成または着生させることが可能な経済的なウニ類および藻の増殖礁を提供すること。【解決手段】  下面および側周面にスクリーン材１３，１５を備えた鋼製箱状枠体３内に石詰されて石詰鋼製箱状枠体５が構成され、その石詰鋼製箱状枠体５の前端側の枠材１４ｃに短尺柱１８が左右方向に間隔をおいて立設され、前記前端側の枠材１４ｃから後端側に離れた位置の枠材１４ａ，１４ｃに前記短尺柱１４の高さよりも高い長尺柱１９が左右方向に間隔をおいて立設され、前記各短尺柱１８および長尺柱１９に渡って後端側に向かって上向きに傾斜した傾斜基枠２０が架設され、その傾斜基枠２０に沿って藻礁基板２３が並べて固定されて、傾斜藻礁屋根２４が構成されていることを特徴とするウニ類および藻の増殖礁。【選択図】図１
2006129756.tif 000002
【特許請求の範囲】
【請求項１】
下面および側周面にスクリーン材を備えた鋼製箱状枠体内に石詰されて石詰鋼製箱状枠体が構成され、その鋼製箱状枠体の前端側の枠材から後端側に向かって離れた位置の枠材に、柱が左右方向に間隔をおいて立設され、前記前端側の枠材またはこれに固定された台座と前記各柱に渡って後端側に向かって上向きに傾斜した傾斜基枠が架設され、その傾斜基枠に藻の増殖用の藻礁基板が並べて固定されて、傾斜藻礁屋根が構成されていることを特徴とするウニ類および藻の増殖礁。
【請求項２】
後端側の枠材またはこれに固定された台座から前端側に向かって上向きに傾斜した傾斜基枠が架設され、その傾斜基枠に藻礁基板が並べて固定されて、前記傾斜藻礁屋根と反対に傾斜する傾斜藻礁屋根が構成されていることを特徴とする請求項１に記載のウニ類および藻の増殖礁。
【請求項３】
前記鋼製箱状枠体は直方体状に形成され、前記傾斜した藻礁基枠の低い位置の端部が、前記鋼製箱状枠体の前端側上面の辺に一致するように設けられていることを特徴とする請求項１または２に記載のウニ類および藻の増殖礁。
【請求項４】
下面および側周面にスクリーン材を備えた鋼製箱状枠体内に石詰されて石詰鋼製箱状枠体が構成され、その石詰鋼製箱状枠体の前端側の枠材に短尺柱が左右方向に間隔をおいて立設され、前記前端側の枠材から後端側に離れた位置の枠材に前記短尺柱の高さよりも高い長尺柱が左右方向に間隔をおいて立設され、前記各短尺柱および長尺柱に渡って後端側に向かって上向きに傾斜した傾斜基枠が架設され、その傾斜基枠に沿って藻の増殖用の藻礁基板が並べて固定されて、傾斜藻礁屋根が構成されていることを特徴とするウニ類および藻の増殖礁。
【請求項５】
後端側の枠材に短尺柱が左右方向に間隔をおいて立設され、当該短尺柱から前端側に向かって上向きに傾斜した基枠が架設され、その傾斜基枠に藻礁基板が並べて固定されて、前記傾斜藻礁屋根と反対に傾斜する傾斜藻礁屋根が構成されていることを特徴とする請求項４に記載のウニ類および藻の増殖礁。
【請求項６】
石詰されて構成された石層は、下層部の石の平均粒径に比べて上層部の石の平均粒径が大きくされていることを特徴とする請求項１〜５にいずれかに記載のウニ類および藻の増殖礁。
【請求項７】
石詰されて構成された石層は、下層部の石の粒径に比べて上層部の石の粒径が大きくされていることを特徴とする請求項１〜５のいずれかに記載のウニ類および藻の増殖礁。
【請求項８】
下層部の石の粒径が３０ｃｍを下回り２０ｃｍ以上とされ、上層部の石の粒径が３０ｃｍ以上〜４０ｃｍとされていることを特徴とする請求項６または７に記載のウニ類および藻の増殖礁。
【請求項９】
鋼製箱状枠体の上層側に詰られた石の粒径より目が細かく下層に詰められた石の粒径よりも目の粗い上部スクリーン材が設けられていることを特徴とする請求項７または８に記載のウニ類および藻の増殖礁。
【請求項１０】
前記鋼製箱状枠体は上面にはスクリーン材が設けられていないことを特徴とする請求項７または８に記載のウニ類および藻の増殖礁。
【発明の詳細な説明】
【技術分野】
【０００１】
本発明は、海藻を育成・増殖させる藻場を造成することができ、また、ウニ類（アカウニ、ムラサキウニ、バフンウニ、エゾバフンウニ等）の増殖が可能なウニ類および藻の増殖礁に関する。
【背景技術】
【０００２】
従来、（Ａ）海藻を育成・増殖させる藻礁として、上部が開口し海底に沈めて設置された石詰箱状本体と、その箱状本体に固定され海藻の幼芽を着生した基質が上面に取付られるプレ−トと、下部が開口し、前記プレートの上方を覆う着脱自在な幼芽保護かごとからなる藻礁とし、ネトロンシートからなる目の細かい網で石詰箱状本体の内外を被覆する構造のものが知られている。（例えば特許文献１参照）
前記（Ａ）の場合には、ネトロンシートからなる目の細かい網で石詰箱状本体の内外を被覆する構造であるので、ウニ類が石詰箱状本体内に入ることができず、ウニ類の増殖礁としての機能を果たすことができないという問題がある。
【０００３】
また、従来、（Ｂ）海藻の着生面を有する多孔質材料およびその多孔質材料に組み込まれた栄養素供給源からなる海藻養殖用ブロックを対称に傾斜させるように架台上に配置すると共に、架台下部の支柱を板状の重量基礎に支持させるように構成された藻礁、海藻の養殖方法が知られている（例えば、特許文献２参照）。
【０００４】
また、（Ｃ）従来、人工ウニ礁として、基礎底部上に、中央に取り出し口部を有するドーム状のウニ育成室と、その周囲に間隔をおいて環状壁の流れ除け部を備えた形態のものが知られている（例えば、特許文献３参照）。
【特許文献１】実公平２−５７２７
【特許文献２】特開平５−３０８８７１号公報
【特許文献３】特許第２９８１２１９号公報
【発明の開示】
【発明が解決しようとする課題】
【０００５】
前記（Ａ）の場合には、ネトロンシートからなる目の細かい網で石詰箱状本体の内外を被覆する構造であるので、ウニ類が石詰箱状本体内に入ることができず、ウニ類の増殖礁としての機能を果たすことができないという問題がある。
また、前記（Ｂ）の場合には、藻礁、海藻の養殖のみに使用される重量基礎を必要としているので、藻礁、海藻の養殖場の設備費が高価になるという問題がある。
さらに、前記Ｃの場合には、特殊な形状および構造となるので、ウニ礁が高価になるという問題がある。
【０００６】
そして、前記（Ａ）〜（Ｃ）のいずれの場合も、海藻のみの基礎としての石詰箱状本体であったり、海藻のための重量基礎であったり、ウニのみのための基礎を兼ねた底部であり、すなわち単一目的の利用形態型であり、ウニと藻の両方を効率よく、育成または着生させるようにした形態ではないので、コストの高い設備になるという問題がある。
【０００７】
本発明は、前記の問題を有利に解決することができ、ウニ類と藻の両方を効率よく、育成または着生させることが可能な経済的なウニ類および藻の増殖礁を提供することを主目的とする。
また、前記の主目的を達成した上で、さらにウニの成長段階に応じて好適な棲家となるウニ増殖礁を備えたウニ類および藻の増殖礁を提供することも目的とする。
【課題を解決するための手段】
【０００８】
第１発明のウニ類および藻の増殖礁においては、下面および側周面にスクリーン材を備えた鋼製箱状枠体内に石詰されて石詰鋼製箱状枠体が構成され、その鋼製箱状枠体の前端側の枠材から後端側に向かって離れた位置の枠材に、柱が左右方向に間隔をおいて立設され、前端側の枠材またはこれに固定された台座と前記各柱に渡って後端側に向かって上向きに傾斜した藻の増殖用の傾斜基枠が架設され、その傾斜基枠に藻礁基板が並べて固定されて、傾斜藻礁屋根が構成されていることを特徴とする。
【０００９】
第２発明では、第１発明のウニ類および藻の増殖礁において、後端側の枠材またはこれに固定された台座から前端側に向かって上向きに傾斜した傾斜基枠が架設され、その傾斜基枠に藻礁基板が並べて固定されて、前記傾斜藻礁屋根と反対に傾斜する傾斜藻礁屋根が構成されていることを特徴とする。
【００１０】
第３発明では、第１発明または第２発明のウニ類および藻の増殖礁において、前記鋼製箱状枠体は直方体状に形成され、前記傾斜した藻礁基枠の低い位置の端部が、前記鋼製箱状枠体の前端側上面の辺に一致するように設けられていることを特徴とする。
【００１１】
第４発明のウニ類および藻の増殖礁においては、下面および側周面にスクリーン材を備えた鋼製箱状枠体内に石詰されて石詰鋼製箱状枠体が構成され、その石詰鋼製箱状枠体の前端側の枠材に短尺柱が左右方向に間隔をおいて立設され、前記前端側の枠材から後端側に向かって離れた位置の枠材に前記短尺柱の高さよりも高い長尺柱が左右方向に間隔をおいて立設され、前記各短尺柱および長尺柱に渡って後端側に向かって上向きに傾斜した傾斜基枠が架設され、その傾斜基枠に沿って藻の増殖用の藻礁基板が並べて固定されて、傾斜藻礁屋根が構成されていることを特徴とする。
【００１２】
第５発明では、第４発明のウニ類および藻の増殖礁において、後端側の枠材に短尺柱が左右方向に間隔をおいて立設され、前記短尺柱から前端側から前端側に向かって上向きに傾斜した傾斜した基枠が架設され、その傾斜基枠に藻礁基板が並べて固定されて、前記傾斜藻礁屋根と反対に傾斜する傾斜藻礁屋根が構成されていることを特徴とする。
【００１３】
第６発明では、第１発明〜第５発明のいずれかのウニ類および藻の増殖礁において、石詰されて構成された石層は、下層部の石の平均粒径に比べて上層部の石の平均粒径が大きくされていることを特徴とする。
【００１４】
第７発明では、第１発明から第５発明のいずれかのウニ類および藻の増殖礁において、石詰されて構成された石層は、下層部の石の粒径に比べて上層部の石の粒径が大きくされていることを特徴とする。
第８発明では、第６または第７発明のウニ類および藻の増殖礁において、下層部の石の粒径が３０ｃｍを下回り２０ｃｍ以上とされ、上層部の石の粒径が３０ｃｍ以上〜４０ｃｍとされていることを特徴とする。
【００１５】
第９発明では、第７発明または第８発明のウニ類および藻の増殖礁において、鋼製箱状枠体の上層側に詰られた石の粒径より目が細かく下層に詰められた石の粒径よりも目の粗い上部スクリーン材が設けられていることを特徴とする。
【００１６】
第９発明では、第１発明〜第８発明のいずれかのウニ類および藻の増殖礁において、傾斜基枠の傾斜部下面と、鋼製箱状体の上面側との間に採取用間隙が設けられて、鋼製箱枠体の上面側からウニの採取が可能とされていることを特徴とする。
第１０発明では、第７発明または第８発明のウニ類および藻の増殖礁において、前記鋼製箱状枠体は上面にはスクリーン材が設けられていないことを特徴とする。
【発明の効果】
【００１７】
第１発明によると、鋼製箱状枠体内に石詰されて構成された石詰箱状枠体により、ウニ類に適した棲家を容易に形成でき、しかも、基礎として利用しても安定している石詰鋼製箱状体を利用して上部の傾斜藻礁屋根を安定した状態で支持することができる。
また、石詰箱状枠体の上部の傾斜藻礁屋根により太陽光線を遮るので、石詰鋼製箱状枠体自体には藻の着生がしがたくなり石詰鋼製箱状枠体内のウニ類の採取作業がし易くなる。また、傾斜藻礁屋根により石詰鋼製箱状枠体に陰影を形成して、陰影効果を高めることによりウニ類の棲家として好適な環境を形成することができる。
さらに、傾斜藻礁屋根は傾斜しているので、潮流により運搬されて着生しやすい藻をある程度選定することができる。また、潮流の潮上側に傾斜藻礁屋根の低レベル側を配置することにより、潮流を利用して潮流に含まれる栄養素を傾斜藻礁全体に供給させて藻の生育環境を平坦な場合に比べて改善させることができる。
このように、本発明のウニ類および藻の増殖礁によると、上部の傾斜藻礁により藻礁の機能を図りながら石詰箱状枠体によりウニ類の生育環境に適した棲家の形成およびウニ類の採取の容易な増殖礁とすることができる。
【００１８】
第２発明によると、第１発明の効果に加えてさらに、石詰箱状枠体の全体を覆う前後の傾斜方向の異なる傾斜藻礁屋根により陰影効果を高めて、ウニ類の棲家の環境を石詰箱状枠体全体に渡って一層向上させることができ、しかも、藻礁着生面積を増大させることができ、さらに前後の傾斜方向の異なる傾斜藻礁屋根とされているので、前後両方向の流れる方向の異なる潮流を利用して藻を着生させて増殖させることができ、さらに、傾斜方向の異なる両方の傾斜藻礁屋根により切妻状に形成されるので、前後方向の一方の波が増殖礁に作用しても、一方の傾斜藻礁に下向き力が作用し、他方の傾斜方向の異なる傾斜藻礁に上向き力が作用するようになるので、打消し合うことになり、増殖礁の揺動を少なくして安定性を向上させることができる。
また、前記屋根が切妻状に形成され石詰箱状枠体の全体に被さっているので、中詰石に及ぼす波の影響が少なく、このため、上面にスクリーン材が存在しない場合でも、充分中詰石の安定性を確保できる。
【００１９】
第３発明によると、藻礁基枠の端部が鋼製箱状枠体の前端部上面の辺に一致するように設けられているので、石詰鋼製箱状枠体の前端部から傾斜藻礁屋根へ連続させて、潮流の流れを滑らかにして、ウニ類および藻の増殖礁における傾斜藻礁への藻の着生を促進させることができ、また、潮流が傾斜藻礁屋根に沿って流れる場合には、潮流により下向きの力を傾斜藻礁屋根に作用させて、ウニ類および藻の増殖礁の安定性を増すことができる。
【００２０】
第４発明によると、第１発明の効果に加えて、傾斜藻礁が石詰鋼製箱状枠体に設けられた前端側の短尺柱と、後端側に向かって離れた長尺柱に架設された傾斜基枠にそって藻礁基板が設けられているので、水深が多少深くなっても、藻の光合成に好都合な水深レベルに傾斜藻礁を維持して、効率よく藻を増殖させることができる。
また、各柱により傾斜基枠と石詰鋼製箱状枠体との間に充分な間隙を形成することができ、石詰鋼製箱状枠体内のウニ類の採取作業が容易になる。
【００２１】
第５発明によると、第４発明の効果に加えてさらに、石詰箱状枠体の全体を覆う前後の傾斜方向の異なる傾斜藻礁屋根により陰影効果を高めて、ウニ類の棲家の環境を石詰箱状枠体全体に渡って一層向上させることができ、しかも、藻礁着生面積を増大させることができ、さらに前後の傾斜方向の異なる傾斜藻礁屋根とされているので、前後両方向の流れる方向の異なる潮流を利用して藻を着生させて増殖させることができ、さらに、傾斜方向の異なる両方の傾斜藻礁屋根により切妻状に形成されるので、前後方向の一方の波が増殖礁に作用しても、一方の傾斜藻礁に下向き力が作用し、他方の傾斜方向の異なる傾斜藻礁に上向き力が作用するようになるので、打消し合うことになり、増殖礁の揺動を少なくして安定性を向上させることができる。
【００２２】
第６および７発明によると、箱状枠体内に、単に平均粒径の小さい石を下部に充填すると共に、平均粒径の大きい石を上部に充填するだけで、ウニ類の成長に応じて、小さき棲家を下部に大きい棲家を上部に簡単に形成することができるばかりでなく、成長したウニ類を採取作業員が鉤棒または素手で上部側から容易に採取可能にすることができる。
また、第７発明のように、上層部の石を大きくすることにより、下層部の小さい石の流出を防止する被覆石としての効果があり、上面のスクリーン材が存在しない場合でも、中詰石の安定性を向上させることができる。
【００２３】
第８発明によると、第５発明の効果に加えて、中詰される石を市販されている粒径が適度に揃った安価な石とすることができ、また、石詰作業の際のハンドリングもし易く、ウニ類の成長に応じた大小の棲家を容易に形成できるばかりでなく採取の容易な実用的なウニ類増殖礁を安価に形成できる。
【００２４】
第９発明によると、下層の石の粒径よりも目が粗くかつ上層の石の粒径よりも目の細かい上部スクリーン材により、確実に石の流出の防止を図りながら、上部スクリーン材を足場あるいは手摺として利用して、また、上部スクリーン材の目が粗いので手を入れ易く、ウニ類の採取作業を容易にすることができる。
【００２５】
第１０発明によると、上部スクリーン材が存在しないので、上部スクリーン材が採取の邪魔にならないので、ウニ類の採取作業を非常に容易にすることができる。
【発明を実施するための最良の形態】
【００２６】
次に、本発明を図示の実施形態に基づいて詳細に説明する。
【００２７】
（第１実施形態）
図１〜図４は、本発明のウニ類および藻の増殖礁１の第１実施形態を示すものであって、まず、上面および側周面に間隔をおいてスクリーン材２、１５を備えた鋼製箱状枠体３内に石４が詰められて構成された石詰鋼製箱状枠体５の構造について説明する。
【００２８】
内側に補強支持梁６を有する平面矩形状の上部枠型フレーム７と、これに上下方向に間隔をおいて平行に配置された内側に補強支持梁６を有する下部枠型フレーム８とが、これらのコーナー部に配置されて固定された隅部柱９および中間柱１０により一体化されて箱型フレーム１１が構成され、その箱型フレーム１１の下部側は前後方向に延長するように配置されていると共に左右方向に間隔をおいて平行に配置されている左右の各下横枠材１２ａ，１２ｂとこれに平行な補強支持梁６に渡って配置されると共に前後方向に間隔をおいて平行に配置されて、前記左右の下横枠材１２ａ，１２ｂと補強支持梁６に固定された多数の下部スクリーン材１３を備えていると共に、前後方向に延長すると共に左右方向に間隔をおいて平行な左右の上横枠材１４ａ，１４ｂおよび左右方向に延長すると共に前後方向に間隔をおいて平行な前後の上横枠材１４ｃ，１４ｄと、前記各下横枠材１２ａ，１２ｂまたは左右方向に延長するように配置されていると共に前後方向に間隔をおいて平行な前後の各下横枠材１２ｃ，１２ｄとに渡って配置され、前後方向または左右方向に間隔をおいて平行に縦向きに配置された多数の側部スクリ−ン材１５を備えた鋼製箱状枠体３が構成されている。
【００２９】
前記鋼製箱状枠体３内に側部スクリーン材１５間の間隔あるいは下部スクリーン材１３間の間隔よりも大きな粒径の石４が充填され、前後方向に延長する左右の各上横枠材１４ａ，１４ｂに渡って、また、中間部を補強支持梁６に支持させるようにして、上部スクリーン材２が前後方向に間隔をおいて平行に配置されて固定されて、石詰鋼製箱状枠体５が構成されている。
【００３０】
前記鋼製箱状枠体５内に充填配置されている石４は、図４に一例を示すように、平均粒径が上部側の石４（４ａ）に比べて小さい石４（４ｂ）が下部側に充填されて下部小粒径石層１６が形成され、上部側には、下部側の石４（４ｂ）に比べて平均粒径が大きい石４（４ａ）が充填されて、上部大粒径石層１７が形成されている。
【００３１】
なお、前記の上部および下部の石層１６，１７の石４（４ａ，４ｂ）の粒径は、平均粒径であって、上下方向に部分的に多少は混在してもよい。上層に小粒径の石４（４ｂ）があってもよいが、後記する代表形態として図１２に示すように、上面側にスクリーン材２を設けない場合に、小粒径の石４（４ｂ）の流出を確実に防止するためには、大粒径の石４（４ａ）を上層に被覆石として石詰するのが好ましい。このように、大粒径の石を上層に充填すると、上面のスクリーン材が存在しない場合でも、中詰石の安定性を向上させることができる。
【００３２】
例えば、充填される上層部の石４（４ａ）としては、３０ｃｍ以上〜４０ｃｍ位の粒径のものを使用し、下層部の石４（４ｂ）としては、２０ｃｍ〜３０ｃｍを越えない粒径の石を使用するようにするのがよい。
【００３３】
前記鋼製箱状枠体３内の上部に粒径の大きい石４（４ａ）を詰めて大粒径石層１７を形成し、下部の小粒径石層１６を覆うようにすると、波あるいは潮流による下部の小粒径石４（４ｂ）の流出を防止することができる。また、このような場合には、上部スクリーン材を省略するようにすることもできる。
【００３４】
また、前記のように、鋼製箱状枠体３内の上部側に平均粒径の大きい石４（４ａ）を、下部側に平均粒径の小さい石４（４ｂ）を充填することにより、上下方向または横方向において、下部側に詰まれる石４（４ｂ）間の隙間により、比較的小さな隙間が形成できると共に、小さい石４（４ｂ）と大きい石４（４ａ）との境界間隙では、比較的中程度の間隙が形成でき、また、大きい石４（４ａ）間の間隙では、比較的大きな間隙が形成でき、ウニ類にとって好適な棲家となる棲家を容易に形成することができ、しかも、ウニ類の成長段階に応じて、各種大きさの好適な隙間の棲家あるいは石表面が大小異なる棲家を容易に形成することができる。
【００３５】
なお、前記の上部スクリーン材２の配置間隔は、上部に平均粒径の大きい石４（４ａ）を石詰された場合には、平均粒径の小さい石４（４ｂ）に面している側部スクリーン材１５の配置間隔よりも大きくすることができ、ウニ類の採取作業を、側部スクリーン材１５間からの採取に比べて、上部スクリーン２間の間隙から容易に採取できるようにされている。
【００３６】
前記の石詰鋼製箱状枠体５における前端部の上横枠材１４ｃには、左右の隅部柱９および中間柱の延長上に、それぞれ隅部および中間に短尺柱１８の下部が固定され、また、左右の上横枠材１４ａ、１４ｂの中央部には、それぞれ長尺柱１９の下部が固定され、前部側の前記各短尺柱１８と中央部の長尺柱１９の上部とに渡って、平面矩形状の版状の藻礁基枠２０における左右の側部枠材２１が後端側に向かって上向きに傾斜するように、また、長尺柱１９から後方に向かって突出するように配置されて固定されている。
【００３７】
前記藻礁基枠２０は、前後方向に延長するように傾斜して配置された左右の各側部枠材２１間に渡って配置される共に前後方向に間隔をおいて平行に配置されて固定された複数（図示の場合は６つ）の藻礁ブロック支持板２２を備えている。また、藻礁基枠２０における前後方向に隣り合う藻礁ブロック支持板２２の幅方向端部に跨ると共に左右方向に間隔をおいて多数の平面矩形状の藻礁ブロック（藻礁基盤）２３が配置されて固定され、藻礁屋根２４が構成されている。
【００３８】
前記の藻礁ブロック２３は、コンクリート製あるいは高炉スラグと自然石または貝殻との複合材料からなる基盤本体の下面側に、前記藻礁ブロック支持板２２に溶接等により固定するための鋼製部材（図示省略）を備えており、各藻礁ブロック２３の上面側は、海中を浮遊する藻の胞子が着生しやすい基質であると共に着生した藻が増殖しやすい基質とされている。なお、藻礁屋根２４の傾斜角度は、着生させたい藻の種類により設計により設定される。
【００３９】
前記の石詰鋼製箱状枠体５と、これに立設された柱１８，１９、藻礁基枠２０、藻礁ブロック２３とにより、片流れ型の藻礁屋根２４を備えたウニ類および藻の増殖礁１が構成されている。なお、鋼製箱状枠体３およびを構成する部材および鋼製箱状枠体３に立設された柱１８，１９、藻礁基枠２０、藻礁ブロック２３等の接合は、ボルト・ナットあるいは溶接等により組立られる。
【００４０】
前記のような藻礁屋根２４が形成されたウニ類および藻の増殖礁１は、藻礁屋根２４の藻礁ブロック２３の部分に着生した藻の光合成が可能な水深、例えば、２〜３ｍ程度の水深になるように石詰鋼製箱状体５が海底に設置される。また、設置する水深に応じて、短尺柱１８および長尺柱１９の長さは設計により設定される。
【００４１】
また、海底に設置されたウニ類および藻の増殖礁１は、藻礁基枠２０あるいは藻礁屋根２４により、太陽光線を遮断し、石詰鋼製箱状体５に陰影を作り、陰影効果により、ウニ類の棲家として好適な環境となるようにされている。また、石詰鋼製箱状体５に陰影を作ることにより、石詰鋼製箱状枠体５には藻の着生がし難いので、ウニ類の採取が容易になるようにされている。
【００４２】
なお、図示を省略するが、前記の各短尺柱１８および長尺柱１９をその中間部において分離結合可能にし、例えば、上部に支持フランジ付の基部柱と下部フランジ付上部柱とのフランジ相互を着脱可能なボルト・ナットにより結合して分離可能な柱材に構成するようにしてもよく、このようにすると、高さが高くなるようなウニ類および藻の増殖礁１を、上下に分離して、嵩張らないように分離して陸輸送を可能にし、一体化も容易である。
【００４３】
第１実施形態および後記する第２実施形態では、各短尺柱１８が比較的長いため、傾斜した藻礁基枠２０と、石詰鋼製箱状枠体５の上面とに比較的大きな隙間２５を形成でき、ウニ類の採取作業員の全身または上半身を容易に、石詰鋼製箱状枠体５の上面に位置させて、石詰鋼製箱状枠体５内において成長したウニ類の採取を容易にしている。
【００４４】
（第２実施形態）
図５および図６は、本発明のウニ類および藻の増殖礁１の第２実施形態を示すものであって、前記第１実施形態と相違する部分は、傾斜した藻礁屋根２４を前後対称に形成した点が相違するので、この部分を主に説明し、同様な部分については、図に同様な符号を付して第１実施形態の説明を援用して省略する。
【００４５】
この実施形態では、藻礁基枠２０における各側部枠材２１が長尺柱１９から突出しないように、各側部枠材２１の他端側が長尺柱１９の前後方向中央部までの長さ寸法とされ、前後の各側部枠材２１は長尺柱１９の直上中央で一体化されて、倒く字状のフレームとされている。
【００４６】
また、前後方向の後端側（図５の右端部）の左右方向に延長する上横枠材１４ｄの端部および中央部に、短尺柱１８が固定され、その短尺柱１８と、前後方向に延長する左右の横枠材１４ａ，１４ｂの中央部に固定された長尺柱１９とに渡って平面矩形状で版状の藻礁基枠２０が、前部側の藻礁基枠２０の傾斜方向と対称に傾斜した状態で配置固定され、その藻礁基枠２０の構成は前記の前部側の藻礁基枠２０と同様で、長尺柱１９直上で一体化されている。
【００４７】
前記藻礁基枠２０は、前後方向に延長するように傾斜して配置された左右の各側部枠材２１間に渡って配置される共に前後方向に間隔をおいて平行に配置されて固定された複数（図示の場合は６つ）の藻礁ブロック支持板２２を備え、長尺柱１９直上において屈折するように一体化されている側部枠材２１上では、倒く字状の藻礁ブロック支持板２２とされている。
また、藻礁基枠２０における前後方向に隣り合う藻礁ブロック支持板２２の幅方向端部に跨ると共に左右方向に間隔をおいて多数の平面矩形状の藻礁ブロック２３が配置されて固定され、反対側に傾斜した、すなわち、後端側に向かって下向きに傾斜した対称の藻礁屋根２４が構成され、全体として切妻形状にされている。
【００４８】
このように、石詰鋼製箱状枠体５の全体を覆う前後の傾斜方向の異なる傾斜藻礁屋根２４により陰影効果を高めて、ウニ類の棲家の環境を石詰鋼製箱状枠体５全体に渡って一層向上させることができ、しかも、藻礁着生面積を増大させることができ、さらに前後の傾斜方向の異なる傾斜藻礁屋根２４とされているので、前後両方向の流れる方向の異なる潮流を利用して藻を藻礁ブロック２３に着生させて増殖させることができ、さらに、傾斜方向の異なる両方の傾斜藻礁屋根２４により切妻状に形成されるので、前後方向の一方の波が増殖礁１に作用しても、一方の傾斜藻礁屋根２４に下向き力が作用し、他方の傾斜方向の異なる傾斜藻礁屋根２４に上向き力が作用するようになるので、打消し合うことになり、増殖礁１の揺動を少なくして安定性を向上させることができる。
【００４９】
（第３実施形態）
図７および図８は、本発明の第３実施形態を示すものであって、前記第１実施形態と相違する部分は、短尺柱１８に代えて、高さの低い台座２６に置換え、長尺柱１９の長さを短くした形態であるので、相違する部分を主に説明し、同様な説明は援用し、同様な部分には図に同様な符号を付して説明を省略する。この形態では、石詰鋼製箱状枠体５における前後方向前端側の左右方向に延長する上横枠材１４ｃに、これに沿って全長に渡って連続するように設けられた一本の鋼製台座２６が固定され、その台座２６に、傾斜した藻礁基枠２０における左右の側部枠材２１の基端部が固定され、また、藻礁基枠２０における最下端の藻礁ブロック支持板２２の下端部が、前記台座２６の端部上面に接触または近接するように設けられている。
【００５０】
第３実施形態のウニ類および藻の増殖礁では、傾斜した藻礁基枠２０と石詰鋼製箱状枠体５の上面との間は台座２６により前面が閉塞されて、前面側からの潮流の流れが傾斜藻礁屋根２４に流速がスムースに早く流れるようにされ、また、藻礁基枠２０の下面側において、傾斜した藻礁基枠２０と石詰鋼製箱状枠体５の上面との間に、台座高さ寸法の隙間２５から漸次拡大する隙間２５が形成でき、その隙間２５を採取用隙間として利用し、その部分に採取作業員自体または採取作業員の腕を配置して、石詰鋼製箱状枠体５内のウニ類の採取を容易にしている。また、傾斜した藻礁屋根２４が石詰鋼製箱状枠体５に近接しているので、傾斜した藻礁屋根２４に波の影響を受けても、ウニ類および藻の増殖礁１の安定性がよい。
なお、この実施形態の変形形態として、長尺柱１９を後端の上横枠材１４ｄと藻礁屋根２４後端の側部枠材２１とに渡って傾斜配置するような形態でもよい。
【００５１】
（第４実施形態）
図９および図１０は、本発明のウニ類および藻の増殖礁の第４実施形態を示すものであって、傾斜した藻礁屋根２４を前後対称に形成した点が相違するので、この部分を主に説明して、同様な部分については、第３実施形態の説明を援用し、また、同様な要素には、図に同様な符号を付して説明を省略する。
【００５２】
この実施形態では、傾斜した藻礁基枠２０における各側部枠材２１が長尺柱１９から突出しないように、各側部枠材２１の他端側が長尺柱１９の前後方向中央部までの長さ寸法とされ、長尺柱１９直上において前後の側部枠材２１が一体化されて倒く字状のフレームとされている。一体化されている側部枠材２１上では、倒く字状の藻礁ブロック支持板２２とされている点は第２実施形態と同様である。
【００５３】
また、前後方向の後端部の左右方向に延長する上横枠材１４ｃに沿って、前端側と同様に鋼製台座２６が固定され、その鋼製台座２６の左右の各端部と、左右の各長尺柱１９とに渡って、平面矩形状で版状の傾斜した藻礁基枠２０が、前部側の藻礁基枠２０の傾斜方向と対象に傾斜した状態で配置固定され、その藻礁基枠２０の構成は前記の前部側の藻礁基枠と同様で、長尺柱１９直上で一体化されている。
【００５４】
前記藻礁基枠２０は、前後方向に延長するように傾斜して配置された左右の各側部枠材２１間に渡って配置される共に前後方向に間隔をおいて平行に配置されて固定された複数（図示の場合は６つ）の藻礁ブロック支持板２２を備えている。また、藻礁基枠２０における前後方向に隣り合う藻礁ブロック支持板２２の幅方向端部に跨ると共に左右方向に間隔をおいて多数の平面矩形状の藻礁ブロック２３が配置されて固定され、反対側に傾斜した、すなわち、後端部に向かって下向きに傾斜した対称の藻礁屋根２４が構成され、全体として切妻形状にされている。
【００５５】
このように、石詰鋼製箱状枠体５の全体を覆う前後の傾斜方向の異なる傾斜藻礁屋根２４により陰影効果を高めて、ウニ類の棲家の環境を石詰箱状枠体５全体に渡って一層向上させることができ、しかも、藻礁着生面積を増大させることができ、さらに前後の傾斜方向の異なる傾斜藻礁屋根２４とされているので、前後両方向の流れる方向の異なる潮流を利用して藻を着生させて増殖させることができ、さらに、傾斜方向の異なる両方の傾斜藻礁屋根２４により切妻状に形成されるので、前後方向の一方の波がウニ類および藻の増殖礁１に作用しても、一方の傾斜藻礁屋根２４に下向き力が作用し、他方の傾斜方向の異なる傾斜藻礁屋根２４に上向き力が作用するようになるので、上下の力で打消し合うことになり（ただし、回転モーメントは生じている）、ウニ類および藻の増殖礁１の揺動を少なくして安定性を向上させることができる。また、傾斜藻礁屋根２４の高さが、前記第２実施形態の場合よりも低いので、より安定性を向上させている。
【００５６】
図示の実施形態では、多数の藻礁ブロック支持板２２を設け、前後方向に隣り合う藻礁ブロック支持板２２間に、前後方向および左右方向に小間隔をおいて多数の藻礁ブロック２３を固定するようにしているが、本発明を実施する場合、藻礁ブロックを大きくして、その枚数および藻礁ブロック支持板２２の設置枚数を少なくしてもよい。
【００５７】
本発明を実施する場合、使用する平均粒径の大きい石４（４ａ）の粒径に応じて、上部スクリーン材２間の間隔および上部スクリーン材２と上横枠材１４との間隔は、設計により適宜設定され、また、使用する平均粒径の小さい石４（４ｂ）の粒径に応じて、側部スクリーン材１５間の間隔および側部スクリーン材１５と隅部柱９との間隔は、設計により適宜設定される。
【００５８】
前記各実施形態の変形形態として、例えば、代表形態として図１２に示す図１の変形のように、石詰鋼製箱状枠体５の上面側のスクリーン材２を設けなくてもよく、この場合には、小粒径の石４（４ｂ）の流出を確実に防止するためには、大粒径の石４（４ａ）を上層に石詰すればよい。
【００５９】
図示を省略するが、第３および第４実施形態において、台座２６を省略して、直方体状の鋼製箱状枠体５に、傾斜した藻礁基枠２０の低い位置の端部が、前記鋼製箱状枠体５の端部上面の辺に一致するように設けてもよい。このように構成すると、藻礁基枠の端部が鋼製箱状枠体の端部上面の辺に一致するように設けられているので、石詰鋼製箱状枠体の一端部から傾斜藻礁屋根へ連続させて、潮流の流れを滑らかにして、ウニ類および藻の増殖礁における傾斜藻礁への藻の着生を促進させることができ、また、潮流が傾斜藻礁屋根に沿って流れる場合には、潮流により下向きの力を傾斜藻礁屋根に作用させて、ウニ類および藻の増殖礁の安定性を増すことができる。
【００６０】
本発明のウニ類および藻の増殖礁１は、石詰鋼製箱状枠体５を備えているので、これのみにても有用な魚礁としての機能を有し、また傾斜した藻礁屋根２４を備えているので、さらに魚介類を蝟集させる有用な魚礁としての作用も奏することができる。
【００６１】
図示実施形態では、前後方向または左右方向に間隔をおいて多数の縦向き配置の鋼製板体１５の両端部を、それぞれ上下に対向する上横枠材１４ａ〜１４ｄと下横枠材１２ａ〜１２ｄとに固定したり、前記と同様な複数の上部スクリーン材２あるいは下部スクリーン材１３とする形態を示したが、本発明を実施する場合、スクリーン材としては、例えば、鋼線による網状体あるいは鋼板等のエキスパンドメタル状の網状体としてもよく、これらの場合には、適宜、上横枠材１４ａ〜１４ｄまたは隅部柱９あるいは中間柱１０に固定するようにすればよい。なお、下部スクリーン材は、海底地盤が軟質である場合には、剛性の高い材料のものが望ましい。
【図面の簡単な説明】
【００６２】
【図１】本発明の第１実施形態のウニ類および藻の増殖礁を示す斜視図である。
【図２】図１の縦断側面図である。
【図３】図１の側面図である。
【図４】図１における鋼製箱状枠体内に詰められている石の状態の一例を示す拡大縦断側面図である。
【図５】本発明の第２実施形態のウニ類および藻の増殖礁を示す斜視図である。
【図６】図５の縦断側面図である。
【図７】本発明の第３実施形態のウニ類および藻の増殖礁を示す斜視図である。
【図８】図７の縦断側面図である。
【図９】本発明の第４実施形態のウニ類および藻の増殖礁を示す斜視図である。
【図１０】図９の縦断側面図である。
【図１１】上部スクリーン材を省略した形態の鋼製箱状枠体付近を拡大して示す縦断側面図である。
【図１２】上部スクリーン材を省略した形態の代表例を示す斜視図である。
【符号の説明】
【００６３】
１  ウニ類および藻の増殖礁
２  スクリーン材
３  鋼製箱状枠体
４  石
５  石詰鋼製箱状枠体
６  補強支持梁
７  上部枠型フレーム
８  下部枠型フレーム
９  隅部柱
１０  中間柱
１１  箱型フレーム
１２  下横枠材
１３  下部スクリーン材
１４  上横枠材
１５  側部スクリ−ン材
１６  下部礁粒径石層
１７  上部大粒径石層
１８  短尺柱
１９  長尺柱
２０  傾斜した藻礁基枠
２１  側部枠材
２２  藻礁ブロック支持板
２３  藻礁ブロック（藻礁基盤）
２４  傾斜した藻礁屋根
２５  隙間
２６  台座
【図１】
2006129756.tif 000003
【図２】
2006129756.tif 000004
【図３】
2006129756.tif 000005
【図４】
2006129756.tif 000006
【図５】
2006129756.tif 000007
【図６】
2006129756.tif 000008
【図７】
2006129756.tif 000009
【図８】
2006129756.tif 000010
【図９】
2006129756.tif 000011
【図１０】
2006129756.tif 000012
【図１１】
2006129756.tif 000013
【図１２】
2006129756.tif 000014